(57)【特許請求の範囲】
【請求項１】
ロール紙を収容する収容部に対して、前記ロール紙を投入可能な投入口を有するケースと、
前記投入口を閉じた閉位置と、前記投入口を開けた開位置との間を回動可能に設けられたカバーと、
前記ケースに回動可能に取り付けられた、前記投入口に向かって延在する、前記ロール紙を保持する保持部と、
前記保持部を、前記収容部に収容された前記ロール紙に近づく第１方向に付勢する付勢手段と、
前記保持部の前記第１方向への回動を停止させるストッパ機構と、
前記カバーが前記閉位置から前記開位置に回動する際に、前記カバーの回動に連動して、前記保持部を回動させる連動機構と、を備え、
前記カバーが前記閉位置にある場合、前記保持部は、前記付勢手段による付勢力によって、前記ロール紙の外径に合わせて前記第１方向に回動し、
前記カバーが前記閉位置から前記開位置に回動する際に、前記保持部は、前記付勢手段の付勢力に抗して、前記カバーとともに回動する
ことを特徴とする、プリンタ。
【請求項２】
前記連動機構は、前記カバーと前記保持部とが互いに係合した状態で連動させる機構である
ことを特徴とする、請求項１に記載のプリンタ。
【請求項３】
前記ストッパ機構は、前記カバーと前記保持部とに設けられ、
前記ストッパ機構は、前記保持部に対し、前記第１方向への回動を、所定の回動範囲に規制するとともに、前記カバーが前記閉位置から前記開位置に回動する際に、前記カバーと前記保持部とを係合した状態で連動させる
ことを特徴とする、請求項１又は２に記載のプリンタ。
【請求項４】
前記カバーが上面となるように、前記ケースが横を向いた姿勢で設置した横置きの際に、前記ロール紙を収容する第１収容部と、
前記カバーが側面となるように、前記ケースが縦を向いた姿勢で設置した縦置きの際に、前記ロール紙が収容される、前記保持部とともに形成される第２収容部と、を備え、
前記横置きの際に、最大径の前記ロール紙が前記第１収容部に収容される位置と、前記縦置きの際に、最大径の前記ロール紙が前記第２収容部に収容される位置とが同じである
ことを特徴とする、請求項１〜３の何れか一項に記載のプリンタ。
【発明の詳細な説明】
【技術分野】
【０００１】
本発明は、ロール紙を収容する収容部を有するプリンタに関するものである。
【背景技術】
【０００２】
従来、ロール紙を使用するプリンタでは、ロール紙を収容する収容部を設けたものが知られている（例えば、特許文献１参照）。
【０００３】
特許文献１には、ロール紙をロール紙ホルダ内に挿入してホルダカバーを閉じると、ホルダカバーの回転と連動して位置決め可動板が回転し、位置決め可動板は、ロール紙ホルダの第２の底部傾斜面との間に第２の位置決め用溝部を形成すべき位置に係止される構成が開示されている。これにより、ホルダカバーを閉じる場合、位置決め可動板が回転しながらロール紙をロール紙ホルダの奥側に押し込み、その状態で係止するため、ロール紙は、位置決め可動板と、第２の底部側の傾斜保持部との間に保持される。また、ホルダカバーを開ける場合、位置決め可動板が、ホルダカバーの裏側の位置に配置されるため、ロール紙をロール紙ホルダ内に収容する際邪魔にならない。
【先行技術文献】
【特許文献】
【０００４】
【特許文献１】特許第３７６７２９０号公報
【発明の概要】
【発明が解決しようとする課題】
【０００５】
ところで、ロール紙を使用するプリンタでは、ロール紙からシートが繰り出される際に、ロール紙に慣性力が作用する。このようなロール紙に作用する慣性力を抑制するために、ロール紙を保持する機構が求められている。特許文献１に記載の構成では、ロール紙は、位置決め可動板と、第２の底部側の傾斜保持部との間に保持されるに留まる。そのため、特許文献１に記載の構成では、シートを繰り出す際の引き出し力によっては、ロール紙に強い慣性力が作用して、収容したロール紙を所望の位置に維持することができない、という問題がある。
【０００６】
そこで、本発明は、収容したロール紙を所望の位置に維持するとともに、ロール紙を交換し易いプリンタを提供することを目的とする。
【課題を解決するための手段】
【０００７】
前記目的を達成するために、本発明のプリンタは、ロール紙を収容する収容部に対して、前記ロール紙を投入可能な投入口を有するケースと、前記投入口を閉じた閉位置と、前記投入口を開けた開位置との間を回動可能に設けられたカバーと、前記ケースに回動可能に取り付けられた、前記投入口に向かって延在する、前記ロール紙を保持する保持部と、前記保持部を、前記収容部に収容された前記ロール紙に近づく第１方向に付勢する付勢手段と、前記保持部の前記第１方向への回動を停止させる、ストッパ機構と、前記カバーが前記閉位置から前記開位置に回動する際に、前記カバーの回動に連動して、前記保持部を回動させる連動機構と、を備え、前記カバーが前記閉位置にある場合、前記保持部は、前記付勢手段による付勢力によって、前記ロール紙の外径に合わせて前記第１方向に回動し、前記カバーが前記閉位置から前記開位置に回動する際に、前記保持部は、前記付勢手段の付勢力に抗して、前記カバーとともに回動することを特徴とする。
【発明の効果】
【０００８】
このように構成された本発明のプリンタは、収容したロール紙を所望の位置に維持するとともに、ロール紙を交換しやすくすることができる。
【図面の簡単な説明】
【０００９】
【図１】実施例１のプリンタのカバーが閉位置の状態を示す斜視図である。
【図２】実施例１のプリンタのカバーが開位置の状態を示す斜視図である。
【図３】実施例１のプリンタのカバーが閉位置の状態を示す断面図である。
【図４】実施例１の保持部材の周辺を示す分解斜視図である。
【図５】実施例１の保持部材を示す分解斜視図である。
【図６】実施例１の保持部材を示す平面図である。
【図７】実施例１の保持部材を示す図であり、図７（ａ）は保持部を示す側面図であり、図７（ｂ）は図６のＡＡ断面を示す断面図であり、図７（ｃ）は図６のＢＢ断面を示す断面図である。
【図８】実施例１のプリンタの第２収容部に最大径のロール紙が収容されている状態を示す断面図である。
【図９】実施例１のプリンタの第２収容部に中径のロール紙が収容されている状態を示す断面図である。
【図１０】実施例１のプリンタの第２収容部に小径のロール紙が収容されている状態を示す断面図である。
【図１１】実施例１のプリンタのカバーが閉位置から開位置に移動する途中の状態を示す断面図である。
【図１２】実施例１のプリンタのカバーが開位置にある状態を示す断面図である。
【発明を実施するための形態】
【００１０】
以下、本発明によるプリンタを実現する実施形態を、実施例１に基づいて説明する。
【実施例１】
【００１１】
実施例１におけるプリンタは、感熱紙に印刷を行う感熱式のサーマルプリンタに適用される。
【００１２】
［プリンタの構成］
図１は、実施例１のプリンタのカバーが閉位置の状態を示す斜視図である。図２は、実施例１のプリンタのカバーが開位置の状態を示す斜視図である。図３は、実施例１のプリンタのカバーが閉位置の状態を示す断面図である。以下、実施例１のプリンタの構成を説明する。
【００１３】
なお、プリンタ１の前後の方向を前後方向Ｄ１とし、左右の方向を幅方向Ｄ２とし、上下の方向を上下方向Ｄ３とする。
【００１４】
プリンタ１は、図１に示すように、ケース１０と、カバー２０と、を備える。
【００１５】
図２に示すように、ケース１０は、上方が開口した矩形の箱状に形成される。ケース１０の開口は、ロール紙Ｒを収容する収容部に対して、上方からロール紙Ｒを投入可能（出し入れ可能）な投入口Ｇを構成する。
【００１６】
カバー２０は、投入口Ｇを閉じた閉位置Ｅ１（図１参照）と、投入口Ｇを開けた開位置Ｅ２（図２参照）との間を、幅方向Ｄ２に延在した回動軸２１を中心として回動可能に設けられる。ロール紙Ｒは、長尺状のシートＳがロール状に巻かれたものである。
【００１７】
図３に示すように、ケース１０の内部には、サーマルヘッドユニット６と、ロール紙Ｒを収容する収容部としての第１収容部３１及び第２収容部３２と、ロール紙Ｒを保持する保持部材４０と、ロール紙Ｒの残量を検出するロール紙残量検出センサ５０と、を備える。
【００１８】
カバー２０の裏面には、プラテンローラ５が取り付けられる。カバー２０が閉位置Ｅ１にある状態において、プラテンローラ５は、サーマルヘッドユニット６と対向するように、カバー２０に配置される。サーマルヘッドユニット６がプラテンローラ５に当接する方向に付勢された状態で、サーマルヘッドユニット６は、シートＳに感熱印刷を行う。
【００１９】
このように構成されたプリンタ１は、プラテンローラ５が回転することで、ロール紙ＲからシートＳが繰り出される。ロール紙Ｒから繰り出されたシートＳは、搬送方向Ｔに搬送され、サーマルヘッドユニット６によって、感熱印刷が行われ、排出口７から排出される。
【００２０】
［第１収容部の構成］
図３に示すように、第１収容部３１は、ケース１０の底部に形成される。第１収容部３１は、閉位置Ｅ１にあるカバー２０が上面となるように、ケース１０が横を向いた姿勢で、設置台Ｂに設置した横置きの場合に、ロール紙Ｒを収容する。
【００２１】
第１収容部３１は、第１傾斜保持部３１ａと、第２傾斜保持部３１ｂとで、上方に向かって開いた断面Ｖ字状に形成される。第１傾斜保持部３１ａと第２傾斜保持部３１ｂとが、ロール紙Ｒの外周面を下方から保持する。
【００２２】
第１傾斜保持部３１ａと第２傾斜保持部３１ｂは、ロール紙Ｒを回転可能に保持する保持ローラ３１ｃ，３１ｄを備えてもよい。
【００２３】
このように構成された第１収容部３１には、横置きの際に、シートＳがロール紙Ｒの下側から繰り出されるように、ロール紙Ｒが収容される。すなわち、ロール紙Ｒからは、保持部４２が設けられた側とは反対側からシートＳが繰り出されるようになっている。
【００２４】
［第２収容部の構成］
図３に示すように、第２収容部３２は、ケース１０の後ろ側の側部に形成される。図８に示すように、第２収容部３２は、閉位置Ｅ１にあるカバー２０が側面となるように、ケース１０が縦を向いた姿勢で、設置台Ｂに設置した縦置きの場合に、ロール紙Ｒを収容する。
【００２５】
第２収容部３２は、傾斜保持部３２ａと、保持部材４０の保持部４２とで、上方に開いた断面Ｖ字状に形成される。保持部４２は、投入口Ｇの一部を塞ぐように、投入口Ｇに向かって延在するように形成される。
【００２６】
傾斜保持部３２ａは、保持部４２より、ケース１０の底部側に設けられる。傾斜保持部３２ａの表面は、傾斜保持部３２ａの保持面３２ｂを構成する。傾斜保持部３２ａと保持部４２とが、ロール紙Ｒの外周面を下方から保持する。
【００２７】
縦置きの際に、最大径のロール紙Ｒが第２収容部３２に収容される位置は、横置きの際に、最大径のロール紙Ｒが第１収容部３１に収容される位置と、略同じになるように形成される。
【００２８】
傾斜保持部３２ａは、ロール紙Ｒを回転可能に保持する保持ローラ３２ｃを備えてもよい。
【００２９】
このように構成された第２収容部３２には、縦置きの際に、シートＳがロール紙Ｒの左側方から繰り出されるように、ロール紙Ｒが収容される。すなわち、ロール紙Ｒからは、保持部４２が設けられた側とは反対側からシートＳが繰り出されるようになっている。
【００３０】
［保持部材の構成］
図４は、実施例１の保持部材４０の周辺を示す分解斜視図である。図５は、実施例１の保持部材４０を示す分解斜視図である。図６は、実施例１の保持部材４０を示す平面図である。図７は、実施例１の保持部材４０を示す図であり、図７（ａ）は保持部４２を示す側面図であり、図７（ｂ）は図６のＡＡ断面を示す断面図であり、図７（ｃ）は図６のＢＢ断面を示す断面図である。以下、実施例１の保持部材４０の構成を説明する。
【００３１】
図３に示すように、保持部材４０は、傾斜保持部３２ａとともに、第２収容部３２を構成する。図４及び図５に示すように、保持部材４０は、ケース１０に固定されるホルダ４１と、投入口Ｇに向かって延在する保持部４２と、保持部４２を付勢する付勢手段４３とで構成される。
【００３２】
（ホルダ）
図６に示すように、ホルダ４１には、突出部４１ａと保持ローラ４１ｂとが設けられる。
【００３３】
図４に示すように、ホルダ４１は、位置決めボス４１ｃをケース１０に設けられた位置決め穴に勘合して、ネジＣをネジ穴４４に挿通してネジ止めされる。ホルダ４１の側面から、幅方向Ｄ２の外側に突出する円柱状に形成される突出部４１ａは、カバー２０の回動軸２１として作用する。
【００３４】
保持ローラ４１ｂは、保持ローラ３２ｃとともに、ロール紙Ｒを回転可能に保持する。なお、保持ローラ４１ｂ及び保持ローラ３２ｃを設けないようにしてもよい。
【００３５】
（保持部）
図４及び図５に示すように、保持部４２は、保持部４２の表面に形成された保持面４２ａと、保持部４２の裏面に形成されたリブ４２ｂと、リブ４２ｂに形成された突起部４２ｃと、保持部４２の下端に設けられた回動軸４２ｄと、を備える。
【００３６】
図３に示すように、保持部４２の保持面４２ａは、第２収容部３２の保持面３２ｂとともに断面Ｖ字状に形成される。保持面４２ａは、最大径のロール紙Ｒの外径に沿うように、曲面で形成することもできるし、平面とすることもできる。
【００３７】
図５に示すように、リブ４２ｂは、保持部４２の裏面に２つ形成される。リブ４２ｂは、保持部４２の裏面から、保持部４２の厚さ方向に延在する。リブ４２ｂの先端には、幅方向Ｄ２の外側に突出する突起部４２ｃが形成される。
【００３８】
図５及び図７（ｃ）に示すように、保持部４２の下端には、幅方向Ｄ２に延在する回動軸４２ｄが設けられる。保持部４２は、回動軸４２ｄの周りに回動可能に、ホルダ４１に支持される。
【００３９】
（付勢手段）
図５に示すように、付勢手段４３は、トーションばねとすることができる。付勢手段４３は、ホルダ４１と保持部４２との間に設けられる。図３及び図７（ｂ）に示すように、付勢手段４３は、回動軸４２ｄの周りに回動可能に設けられた保持部４２を、第１収容部３１又は第２収容部３２に収容されたロール紙Ｒに近づく第１方向Ｆに付勢する。
【００４０】
（ストッパ部）
図３及び図４に示すように、保持部４２に設けられた突起部４２ｃは、カバー２０に取り付けられたリブ２２に形成された開口２３に挿入される。開口２３は、第１面２３ａと、第２面２３ｂと、第３面２３ｃとで、側面視において、略三角形に形成される。
【００４１】
第１面２３ａは、第１方向Ｆに対して、略直交方向に延在して形成される。第１面２３ａは、突起部４２ｃが第１方向Ｆに移動することを停止するストッパ部として構成される。すなわち、第１面２３ａは、保持部４２に取り付けられた突起部４２ｃに当接して、保持部４２の第１方向Ｆへの回動を停止させる。
【００４２】
ストッパ部としての第１面２３ａと、突起部４２ｃとは、保持部４２の第１方向Ｆへの回動を停止させるストッパ機構を構成する。ストッパ機構は、保持部４２に対し、第１方向Ｆへの回動を、所定の回動範囲に規制するとともに、カバー２０が閉位置Ｅ１から開位置Ｅ２に回動する際に、両者を係合した状態で連動させる。
【００４３】
また、ストッパ部としての第１面２３ａと、突起部４２ｃとは、カバー２０と保持部４２とが互いに係合した状態で連動させる連動機構を構成する。連動機構は、カバー２０が閉位置Ｅ１から開位置Ｅ２に回動する際に、カバー２０の回動に連動して、保持部４２を回動させる。
【００４４】
第２面２３ｂは、第１面２３ａの一端から第１方向Ｆに延在して形成される。第３面２３ｃは、第１面２３ａの他端と、第２面２３ｂの端部とを接続するように形成される。
【００４５】
［ロール紙残量検出センサの構成］
図３に示すように、ケース１０の側壁面には、ロール紙残量検出センサ（ペーパーニアエンドセンサ）５０を備える。ロール紙残量検出センサ５０は、ケース１０の側壁面に形成された開口部１１を介して、ロール紙Ｒの側面に向かって光を照射し、ロール紙Ｒの側面で反射した反射光を受光する光反射型のセンサである。
【００４６】
ロール紙残量検出センサ５０は、ロール紙Ｒの残量が設定量に達したことを検出する。すなわち、ロール紙残量検出センサ５０は、ロール紙Ｒの側面からの反射光に基づいてロール紙Ｒの残量を検出する。
【００４７】
ロール紙残量検出センサ５０は、側面視において、第１収容部３１又は第２収容部３２に収容された最大径のロール紙Ｒの中心軸ＲＰと、第１収容部３１の断面Ｖ字状の頂点である第１頂点３１Ｐと、第２収容部３２の断面Ｖ字状の頂点である第２頂点３２Ｐと、で囲まれた領域Ｑに配置される。
【００４８】
ロール紙残量検出センサ５０は、操作レバー５１に取り付けられる。操作レバー５１は、回転軸５１ｂを中心として、第１収容部３１又は第２収容部３２に収容されたロール紙Ｒの側面と平行な平面上において、回転可能になっている。
【００４９】
操作レバー５１によって、ロール紙残量検出センサ５０は、第１収容部３１又は第２収容部３２に収容される、最大径のロール紙Ｒの外径に沿うように、円弧状に移動可能になっている。開口部１１は、略扇状に形成され、操作レバー５１の移動範囲を規制する。
【００５０】
操作レバー５１には、先端に向かって突出する凸部５１ａが形成される。凸部５１ａは、開口部１１に設けられた第１溝部１１ａと第２溝部１１ｂとに嵌合するようになっている。
【００５１】
第１溝部１１ａは、開口部１１の第１収容部３１側に、例えば４つ形成される。第２溝部１１ｂは、開口部１１の第２収容部３２側に、例えば４つ形成される。
【００５２】
凸部５１ａが、第１溝部１１ａ又は第２溝部１１ｂに嵌合することで、ロール紙残量検出センサ５０が位置決めされる。凸部５１ａが第１溝部１１ａに嵌合することで、ロール紙残量検出センサ５０は、第１収容部３１に収容されたロール紙Ｒの残量を検出する。凸部５１ａが第２溝部１１ｂに嵌合することで、ロール紙残量検出センサ５０は、第２収容部３２に収容されたロール紙Ｒの残量を検出する。
【００５３】
［プリンタの動作］
図８は、実施例１のプリンタ１の第２収容部３２に最大径のロール紙が収容されている状態を示す断面図である。図９は、実施例１のプリンタ１の第２収容部３２に中径のロール紙が収容されている状態を示す断面図である。図１０は、実施例１のプリンタ１の第２収容部３２に小径のロール紙が収容されている状態を示す断面図である。図１１は、実施例１のプリンタ１のカバー２０が閉位置Ｅ１から開位置Ｅ２に移動する途中の状態を示す断面図である。図１２は、実施例１のプリンタ１のカバー２０が開位置Ｅ２にある状態を示す断面図である。以下、実施例１のプリンタ１の動作を説明する。なお、以下では、プリンタ１を縦置きした場合について説明する。
【００５４】
図８に示すように、プリンタ１を縦置きにして、カバー２０が閉位置Ｅ１にある場合であって、最大径のロール紙Ｒが第２収容部３２に収容される場合、保持部４２は、ロール紙Ｒの外周面に押され、付勢手段４３の第１方向Ｆへの付勢力に抗して、第３面２３ｃの手前の位置に移動する。この際、保持部４２は、ロール紙Ｒを第１方向Ｆに付勢する。
【００５５】
図９に示すように、プリンタ１を縦置きにして、カバー２０が閉位置Ｅ１にある場合であって、最大径より小さい中径のロール紙Ｒが第２収容部３２に収容される場合、保持部４２は、ロール紙Ｒの外周面に押され、付勢手段４３の第１方向Ｆへの付勢力に抗して、第１面２３ａと第３面２３ｃとの中間程の位置に移動する。この際、保持部４２は、ロール紙Ｒを第１方向Ｆに付勢する。
【００５６】
図１０に示すように、プリンタ１を縦置きにして、カバー２０が閉位置Ｅ１にある場合であって、中径より小さい小径のロール紙Ｒが第２収容部３２に収容される場合、保持部４２の突起部４２ｃは、第１面２３ａに当接して、保持部４２の第１方向Ｆへの回動が停止される。この際、保持部４２は、ロール紙Ｒの外周面から離間する。
【００５７】
すなわち、カバー２０が閉位置Ｅ１にある場合、保持部４２は、付勢手段４３による付勢力によって、ロール紙Ｒの外径に合わせて第１方向Ｆに回動する。
【００５８】
図１１に示すように、プリンタ１を縦置きにして、カバー２０が閉位置Ｅ１から開位置Ｅ２に向けて移動すると、保持部４２の突起部４２ｃは、第１面２３ａに当接して、保持部４２の第１方向Ｆへの回動が停止される。すなわち、プリンタ１を縦置きにして、カバー２０が閉位置Ｅ１から開位置Ｅ２に回動する際に、保持部４２は、付勢手段４３の付勢力に抗して、カバー２０とともに回動する。
【００５９】
図１２に示すように、プリンタ１を縦置きにして、カバー２０が開位置Ｅ２にある状態では、保持部４２の突起部４２ｃは、第１面２３ａに当接して、保持部４２の第１方向Ｆへの回動が停止される。
【００６０】
［プリンタの作用］
実施例１のプリンタ１の作用を説明する。実施例１のプリンタ１は、ロール紙Ｒを収容する収容部（第１収容部３１，第２収容部３２）に対して、ロール紙Ｒを投入可能な投入口Ｇを有するケース１０と、投入口Ｇを閉じた閉位置Ｅ１と、投入口Ｇを開けた開位置Ｅ２との間を回動可能に設けられたカバー２０と、ケース１０に回動可能に取り付けられた、投入口Ｇに向かって延在する、ロール紙Ｒを保持する保持部４２と、保持部４２を、収容部（第１収容部３１，第２収容部３２）に収容されたロール紙Ｒに近づく第１方向Ｆに付勢する付勢手段４３と、保持部４２の第１方向Ｆへの回動を停止させるストッパ機構（第１面２３ａ，突起部４２ｃ）と、カバー２０が閉位置Ｅ１から開位置Ｅ２に回動する際に、カバー２０の回動に連動して、保持部４２を回動させる連動機構（第１面２３ａ，突起部４２ｃ）と、を備え、カバー２０が閉位置Ｅ１にある場合、保持部４２は、付勢手段４３による付勢力によって、ロール紙Ｒの外径に合わせて第１方向Ｆに回動し、カバー２０が閉位置Ｅ１から開位置Ｅ２に回動する際に、保持部４２は、付勢手段４３の付勢力に抗して、カバー２０とともに回動する（図８）。
【００６１】
これにより、カバー２０が閉位置Ｅ１にある状態では、保持部４２は、ロール紙Ｒの大きさに合わせて回動し、ロール紙Ｒを第１方向Ｆに付勢することができる。そのため、保持部４２は、ロール紙Ｒの大きさによらず、ロール紙Ｒを保持することができる。特に、ロール紙ＲからシートＳが繰り出される際、ロール紙Ｒの紙面と接触するシートＳの内面と、収容部（第１収容部３１，第２収容部３２）と接触するシートＳの外面との摩擦力の違いにより、ロール紙Ｒがゆるんだ状態となることを抑制することができる。また、ロール紙ＲからシートＳが繰り出される場合、シートＳが繰り出された際に作用する慣性力によってロール紙Ｒがバタつくことを抑制することができる。
【００６２】
また、カバー２０が閉位置Ｅ１から開位置Ｅ２に回動する際に、保持部４２をカバー２０ともに回動させることができる。そのため、ロール紙Ｒの投入口Ｇを塞ぐように保持部４２を設けた場合でも、ロール紙Ｒを収容部（第１収容部３１，第２収容部３２）から取り出したり、最大径のロール紙Ｒを収容部（第１収容部３１，第２収容部３２）に設置したりする際に、保持部４２を手で退けなくても済む。
【００６３】
すなわち、投入口Ｇ側からロール紙Ｒを付勢して保持する機能を持たせつつ、ロール紙Ｒの投入を阻害しないようにすることができる。その結果、収容したロール紙Ｒを所望の位置に維持するとともに、ロール紙Ｒを交換し易いプリンタ１とすることができる。
【００６４】
実施例１のプリンタ１では、連動機構（第１面２３ａ，突起部４２ｃ）は、カバー２０と保持部４２とが互いに係合した状態で連動させる機構である（図８〜図１２）。
【００６５】
これにより、簡易な構成で、カバー２０が閉位置Ｅ１から開位置Ｅ２に回動する際に、カバー２０の回動に連動して、保持部４２を回動させることができる。
【００６６】
実施例１のプリンタ１では、ストッパ機構は、カバー２０と保持部４２とに設けられ、ストッパ機構（第１面２３ａ，突起部４２ｃ）は、保持部４２に対し、第１方向Ｆへの回動を、所定の回動範囲に規制するとともに、カバー２０が閉位置Ｅ１から開位置Ｅ２に回動する際に、両者を係合した状態で連動させる(図８〜図１２)。
【００６７】
これにより、簡易な構成で、保持部４２の第１方向Ｆへの回動を停止させることができる。
【００６８】
実施例１のプリンタ１では、カバー２０が上面となるように、ケース１０が横を向いた姿勢で設置した横置きの際に、ロール紙Ｒを収容する第１収容部３１と、カバー２０が側面となるように、ケース１０が縦を向いた姿勢で設置した縦置きの際に、ロール紙Ｒが収容される、保持部４２とともに形成される第２収容部３２と、を備え、横置きの際に、最大径のロール紙Ｒが第１収容部３１に収容される位置と、縦置きの際に、最大径のロール紙Ｒが第２収容部３２に収容される位置とが、略同じである（図３及び図８）。
【００６９】
これにより、縦置きと横置きとで、最大径のロール紙Ｒが収容される位置を同じ位置とすることができる。そのため、収容部（第１収容部３１，第２収容部３２）の大きさを極力小さく形成することができる。その結果、プリンタ１の小型化を図ることができる。
【００７０】
実施例１のプリンタ１では、第１収容部３１と第２収容部３２とは、それぞれ、断面Ｖ字状に形成される（図３）。
【００７１】
これにより、縦置きでも、横置きでも、ロール紙ＲをＶ字状の形状で支持することができる。そのため、ロール紙Ｒの回転軸直交方向への移動を抑制して、ロール紙Ｒを収容することができる。その結果、収容したロール紙Ｒを所望の位置に維持することができる。その結果、ロール紙残量検出センサ５０による検出精度を向上させることができる。
【００７２】
また、縦置きの際には、保持部４２とともにＶ字状に形成される第２収容部３２は、ロール紙Ｒの直径が小さくなるにしたがって、Ｖ字の角度を急にすることができる。そのため、小さい直径のロール紙Ｒが、Ｖ字状の第２収容部３２を駆け上がるようなことを防止することができる。その結果、収容したロール紙Ｒを所望の位置に維持することができる。その結果、ロール紙残量検出センサ５０による検出精度を向上させることができる。
【００７３】
実施例１のプリンタ１では、ケース１０の側壁面に設けられた、ロール紙Ｒの側面からの反射光に基づいてロール紙Ｒの残量を検出するロール紙残量検出センサ５０を備え、ロール紙残量検出センサ５０は、側面視において、第１収容部３１又は第２収容部３２に収容された最大径のロール紙Ｒの中心軸ＲＰと、第１収容部３１の断面Ｖ字状の頂点である第１頂点３１Ｐと、第２収容部３２の断面Ｖ字状の頂点である第２頂点３２Ｐと、で囲まれた領域Ｑに配置される（図３）。
【００７４】
これにより、縦置きと横置きとで、共通のロール紙残量検出センサ５０を使用することができる。そのため、縦置きと横置きの個別のロール紙残量検出センサを設けなくて済む。その結果、部品費を削減することができる。
【００７５】
実施例１のプリンタ１では、ロール紙残量検出センサ５０は、第１収容部３１又は第２収容部３２に収容される最大径のロール紙Ｒの外径に沿うように、円弧状に移動可能に構成される（図３）。
【００７６】
これにより、ロール紙残量検出センサ５０を、第１収容部３１及び第２収容部３２に収容されたロール紙Ｒの径に合わせて移動させることができる。そのため、縦置きと横置きとで、共通のロール紙残量検出センサ５０を使用して、縦置き及び横置きのロール紙Ｒの径に合わせて、ロール紙残量検出センサ５０の位置を調整することができる。
【００７７】
実施例１のプリンタ１では、ロール紙Ｒは、保持部４２が設けられた側とは反対側からシートＳが繰り出される（図３）。
【００７８】
これにより、ロール紙ＲからシートＳが繰り出される際に、繰り出されるシートＳに引っ張られて、ロール紙Ｒが移動しようとする方向に対向して、保持部４２がロール紙Ｒを付勢することができる。そのため、ロール紙ＲからシートＳが繰り出される場合、シートＳが繰り出された際に作用する慣性力によってロール紙Ｒがバタつくことを抑制することができる。その結果、収容したロール紙Ｒを所望の位置に維持することができる。
【００７９】
さらに、プリンタ１を横置きにした場合にも、保持部４２が、上方のやや後方側からロール紙Ｒを付勢するため、ロール紙ＲからシートＳの安定した供給にも寄与する。
【００８０】
以上、本発明のプリンタを実施例１に基づき説明してきた。しかし、具体的な構成については、この実施例に限られるものではなく、特許請求の範囲の各請求項に係る発明の要旨を逸脱しない限り、設計の変更や、追加等は許容される。
【００８１】
実施例１では、ロール紙残量検出センサ５０は、円弧状に移動可能に構成される例を示した。しかし、ロール紙残量検出センサは、直線状に移動可能に構成されてもよい。
【００８２】
実施例１では、第１収容部３１及び第２収容部３２に収容されたロール紙Ｒからは、保持部４２が設けられた側とは反対側からシートＳが繰り出されるようになっている例を示した。しかし、ロール紙からは、保持部が設けられた側からシートが繰り出されるようにしてもよい。
【００８３】
実施例１では、プリンタ１は、横置きの際にロール紙Ｒが収容される第１収容部３１と、縦置きの際にロール紙Ｒが収容される第２収容部３２とを備える例を示した。しかし、プリンタは、第１収容部及び第２収容部の少なくとも一方を備えるようにしてもよい。
【００８４】
実施例１では、カバー２０に取り付けられたリブ２２に開口２３を設け、保持部４２に突起部４２ｃを設け、これらが係合するように構成する例を示した。しかし、開口２３に相当する部位や部品を保持部４２に設け、突起部４２ｃに相当する部位や部品をカバー２０に設けて、これらによって連動機構を構成してもよい。
【００８５】
実施例１では、カバー２０に取り付けられたリブ２２における開口２３の第１面２３ａを、突起部４２ｃの第１方向Ｆへの移動を所定の回動位置で停止させるストッパ部として構成する例を示した。しかし、ストッパ部は、カバー２０とは独立して、カバー２０以外に設けてもよい。例えば、開口２３に相当する部位や部品を、ケース１０に設けた場合、保持部４２に設けられた突起部４２ｃとは別に、ケース１０に設けたストッパ部に当接する突起を保持部４２に設け、これらによってストッパ機構を構成してもよい。
【００８６】
実施例１では、本発明のプリンタを、感熱紙に印刷を行う感熱式のサーマルプリンタに適用する例を示した。しかし、本発明のプリンタは、感熱式に限らず、ロール紙を収容する収容部を有するプリンタに適用することができる。
【符号の説明】
【００８７】
１          プリンタ
１０        ケース
２０        カバー
２２ａ      第１面（ストッパ部）
３１        第１収容部（収容部の一例）
３１Ｐ      第１頂点
３２        第２収容部（収容部の一例）
３２Ｐ      第２頂点
３２        第２収容部
４２        保持部
４２ｃ      突起部
４３        付勢手段
５０        ロール紙残量検出センサ
Ｅ１        閉位置
Ｅ２        開位置
Ｆ          第１方向
Ｇ          投入口
Ｑ          領域
Ｒ          ロール紙
ＲＰ        中心軸
【要約】
【課題】収容したロール紙を所望の位置に維持するとともに、ロール紙を交換し易いプリンタを提供する。
【解決手段】ロール紙Ｒを投入可能な投入口Ｇを有するケース１０と、閉位置Ｅ１と開位置Ｅ２との間を回動可能に設けられたカバー２０と、ケース１０に回動可能に取り付けられた、ロール紙Ｒを保持する保持部４２と、保持部４２を第１方向Ｆに付勢する付勢手段４３と、保持部４２の第１方向Ｆへの回動を停止させるストッパ機構（第１面２３ａ，突起部４２ｃ）と、カバー２０の回動に連動して、保持部４２を回動させる連動機構（第１面２３ａ，突起部４２ｃ）と、を備え、カバー２０が閉位置Ｅ１にある場合、保持部４２は、付勢手段４３による付勢力によって、ロール紙Ｒの外径に合わせて第１方向Ｆに回動し、カバー２０が閉位置Ｅ１から開位置Ｅ２に回動する際に、保持部４２は、付勢手段４３の付勢力に抗して、カバー２０とともに回動する。
【選択図】図３【図１】
0006975868.tif 000002
【図２】
0006975868.tif 000003
【図３】
0006975868.tif 000004
【図４】
0006975868.tif 000005
【図５】
0006975868.tif 000006
【図６】
0006975868.tif 000007
【図７】
0006975868.tif 000008
【図８】
0006975868.tif 000009
【図９】
0006975868.tif 000010
【図１０】
0006975868.tif 000011
【図１１】
0006975868.tif 000012
【図１２】
0006975868.tif 000013